(57)【要約】【課題】簡易な構成で表示パネルを固定することができる表示装置等を提供する。【解決手段】表示装置は、正面に画像を表示する表示パネルと、該表示パネルの背面に一面を対向させて配してあり、前記一面からの出射光を前記表示パネルの背面に照射させる導光板と、前記導光板を他面側から覆うように収納する皿形の収納容器とを備える表示装置において、前記収納容器は、前記導光板の一面の縁部を前記表示パネル側から覆う板状の覆部を含み、前記表示パネルと収納容器とは、該表示パネルの背面の周縁部と該周縁部に対向する前記覆部の一面との接着により、固定してある。【選択図】図３
2019148722.tif 000002
【特許請求の範囲】
【請求項１】
正面に画像を表示する表示パネルと、該表示パネルの背面に一面を対向させて配してあり、前記一面からの出射光を前記表示パネルの背面に照射させる導光板と、前記導光板を他面側から覆うように収納する皿形の収納容器とを備える表示装置において、
前記収納容器は、前記導光板の一面の縁部を前記表示パネル側から覆う板状の覆部を含み、
前記表示パネルと収納容器とは、該表示パネルの背面の周縁部と該周縁部に対向する前記覆部の一面との接着により、固定してある
ことを特徴とする表示装置。
【請求項２】
前記導光板の一面には、積層された複数の光学シートが設けられており、
該複数の光学シートのうち、前記導光板の一面に接触して設けられた光学シートの端部は、該導光板の縁部よりも外側に延設してある
ことを特徴とする請求項１に記載の表示装置。
【請求項３】
前記導光板の一面には、積層された複数の光学シートが設けられており、
複数の光学シートのうち、表示パネル側に積層された光学シートの端部は、前記覆部よりも正面視にて内側に位置してある
ことを特徴とする請求項１又は請求項２に記載の表示装置。
【請求項４】
前記覆部は、前記導光板の上縁部及び左右の縁部を覆うように設けられている
ことを特徴とする請求項１から請求項３のいずれか一つに記載の表示装置。
【請求項５】
請求項１から請求項４のいずれか１つに記載の表示装置と、テレビジョン放送を受信する受信部とを備え、
前記受信部で受信したテレビジョン放送に基づいて前記表示パネルに画像を表示するようにしてあることを特徴とするテレビジョン受信機。
【請求項６】
導光板を収納するための皿型の収納容器であって、該導光板の縁部を前記収納容器の底板と反対側から覆う板状の覆部を含む該収納容器を用意する工程と、
該覆部が設けられていない端面側から、反射シートを前記収納容器内に配置して、該収納容器に収納する工程と、
該覆部が設けられていない端面側から、前記導光板を前記収納容器内に配置して、該収納容器に収納する工程と、
該覆部が設けられていない端面側から、一の光学シートを前記収納容器内に配置して、該収納容器に収納する工程と、
前記収納容器から露出している一の光学シートの一面に、他の複数の光学シートを積層する工程と、
正面に画像を表示する表示パネルを用意する工程と、
該表示パネルの背面の周縁部と前記覆部の一面とを位置合わせし、該周縁部と覆部との間に両面テープを介在させて、前記表示パネルと前記収納容器とを接着して固定する工程と
を含む表示装置の製造方法。
【発明の詳細な説明】
【技術分野】
【０００１】
本発明は、表示装置、テレビジョン受信機及び表示装置の製造方法に関する。
【背景技術】
【０００２】
近年、画像を表示する表示装置として、液晶表示装置が広く普及している。液晶表示装置は、液晶パネルの背面にバックライトを配置し、バックライトの発光を液晶パネルにより変調して透過させ、液晶パネルの正面に画像を表示するように構成されている。表示装置においては、近年、消費電力の低減と薄型化とを併せて実現するために、ＬＥＤ（発光ダイオード）を光源とするエッジライト型のバックライトが採用されている。
【０００３】
エッジライト型のバックライトは、矩形皿形の収納容器内に導光板及び光源を収納して構成されている。導光板は、アクリル等の透光性を有する樹脂製の平板の一面に反射シートが設けられており、反射シートが設けられた一面を収納容器の底面に向け、該底面を覆うように収納容器に収納されている。液晶表示装置は、液晶パネルの周縁を覆うベゼルを備え、収納容器とベゼルとは、ネジによって固定してある（例えば、特許文献１参照）。この収納容器は、アルミ等の金属製のフレームを含んでおり、液晶パネルは、ネジによって固定されたフレームとベゼルとによって、挟持されている。
【先行技術文献】
【特許文献】
【０００４】
【特許文献１】特開２０１６−５４３５８号公報
【発明の概要】
【発明が解決しようとする課題】
【０００５】
しかしながら、特許文献１の表示装置は、収納容器のフレームとベゼルとをネジによって固定し、液晶パネルを挟持しているため、固定構造が複雑になるという問題がある。
【０００６】
本開示は、斯かる事情に鑑みてされたものであり、簡易な構成で表示パネルを固定することができる表示装置等を提供することを目的とする。
【課題を解決するための手段】
【０００７】
本開示に係る表示装置は、正面に画像を表示する表示パネルと、該表示パネルの背面に一面を対向させて配してあり、前記一面からの出射光を前記表示パネルの背面に照射させる導光板と、前記導光板を他面側から覆うように収納する皿形の収納容器とを備える表示装置において、前記収納容器は、前記導光板の一面の縁部を前記表示パネル側から覆う板状の覆部を含み、前記表示パネルと収納容器とは、該表示パネルの背面の周縁部と該周縁部に対向する前記覆部の一面との接着により、固定してあることを特徴とする。
【発明の効果】
【０００８】
本開示によれば、簡易な構成で表示パネルを固定することができる表示装置等を提供することが可能となる。
【図面の簡単な説明】
【０００９】
【図１】実施形態１に係る表示装置を略示する斜視図である。
【図２】表示装置を略示する側面図である。
【図３】図１のIII−III線による要部の部分縦断面図である。
【図４】表示装置の製造方法の説明図である。
【図５】実施形態２に係る表示装置を略示する側面図である。
【発明を実施するための形態】
【００１０】
（実施形態１）
以下、本発明の実施の形態について説明する。図１は、実施形態１に係る表示装置を略示する斜視図である。図２は、表示装置を略示する側面図である。表示装置は、画像表示用の表示パネルとして液晶パネル２を備えた液晶表示装置１である。液晶表示装置１は、該液晶パネル２に光を照射するバックライト４を備えている。
【００１１】
液晶パネル２は、矩形板状をなし、正面に画像を表示する表示部を備えている。液晶パネル２の背面側は、バックライト４の外筐を構成するバックライトシャーシ４３（収納容器、図３参照）により覆われている。バックライトシャーシ４３は、液晶表示装置１の外装体を構成している。
【００１２】
図１に示す液晶表示装置１は、受信部９及び信号処理部８を備えるテレビジョン受信機として構成されている。受信部９には、図示しないアンテナに接続され、該アンテナを介してテレビジョン放送を受信する。信号処理部８は、受信部９が受信したテレビジョン放送に係るデータを復調し、復調したデータから画像データを分離し、分離した画像データを出力する。液晶パネル２は、信号処理部８が出力した画像データに基づく画像を表示する。
【００１３】
液晶表示装置１は、箱状のカバー６を備える。カバー６は、液晶パネル２の下部側に配され、バックライトシャーシ４３、信号処理部８及び受信部９を背面側から覆うように設けられている。
【００１４】
液晶表示装置１は、脚７を備えている。液晶表示装置１は、脚７で支えられて平坦な台上に載置され、液晶パネル２の表示面を縦姿勢に保って使用される。以下の説明においては、液晶パネル２の表示面側を前、他面を後とする。また、以下の説明において使用する上、下は、前述した使用状態での上、下に対応し、同じく左、右は、使用状態において前側から見て左、右に対応する。
【００１５】
図３は、図１のIII−III線による要部の部分縦断面図である。この部分縦断面図には、液晶表示装置１の上部の一部が示されている。バックライト４は、バックライトシャーシ４３の内部に導光板４１を備えている。バックライトシャーシ４３は、矩形の底板４３１の周縁を略垂直に立ち上げて短寸の側壁４３２を周設し、浅底皿形に成形された金属製の筐体である。側壁４３２の縁には、略垂直に内側に向かって突出する板状の覆部４３３が形成されている。覆部４３３は、上側の側壁４３２の縁及び左右の縁に設けられている。図３に示すごとく、バックライトシャーシ４３の底板４３１、側壁４３２及び覆部４３３は、断面視にて逆Ｕ字状をなす。
【００１６】
導光板４１は、ガラス製、又はアクリル樹脂等の透光性を有する樹脂製の平板であり、矩形に成形されている。導光板４１の平板の一面（後面）には、反射シート４２が設けられている。反射シート４２は、導光板４１の後面及び側面に被着してある。導光板４１は、反射シート４２の被着面（後面）を、バックライトシャーシ４３の底板４３１の側に向け、該底板４３１の略全面を覆うようにバックライトシャーシ４３に収容されている。導光板４１の液晶パネル２側の面（前面）の上側の縁部（上縁部）、左右の縁部又は、上縁部及び左右の縁部は、覆部４３３によって液晶パネル２側から覆われている。
【００１７】
導光板４１の前面には、積層された３つの光学シート３Ａ，３Ｂ，３Ｃによる光学シート群３が設けられている。導光板４１の前面に接触して設けられた光学シート３Ａ、すなわち最も導光板４１側に位置する光学シート３Ａは、その上端が導光板４１の上側端面（上縁部）よりも外側に延設された延設部３１を有する。延設部３１を有さない他の光学シート３Ｂ，３Ｃは、その上端が導光板４１の上側端面及び覆部４３３の先端よりも正面視にて内側に位置するように設けられている。すなわち、導光板４１の前面に接触して設けられた光学シート３Ａは、他の光学シート３Ｂ，３Ｃよりも、その面積が大きくなるようにしてある。更に導光板４１の前面に接触して設けられた光学シート３Ａの面積は、導光板４１の面積よりも大きくなるようにしてある。このように、導光板４１の前面に接触して設けられた光学シート３Ａの面積を、他の光学シート３Ｂ，３Ｃ及び導光板４１の面積よりも大きくすることによって、延設部３１が形成される。
【００１８】
バックライト４は、導光板４１の下縁（下側端面）に対向させて設けられた光源基板（図示せず）を備え、光源基板からの出射光は、導光板４１及び光学シート群３を介して液晶パネル２の背面に照射される。
【００１９】
液晶パネル２は、アレー基板とカラーフィルタ基板との間に液晶を封入し、これらの両面に偏光板を積層してなる公知の構成を有している。液晶パネル２は、ガラス製又はアクリル樹脂等の透明な樹脂製である。液晶パネル２の周縁部には、画像を表示するための光が透過しない領域を形成するためのブラックマトリックス２１が設けられている。アレー基板とカラーフィルタ基板との間に封入された液晶は、液晶パネル２に接続された液晶駆動基板によって駆動される。
【００２０】
液晶パネル２は、バックライトシャーシ４３の覆部４３３の前面との間に両面テープ５を介在させて、バックライトシャーシ４３に接着して固定してある。両面テープ５は、ブラックマトリックス２１が設けられている位置に対応させて設けられている。
【００２１】
液晶パネル２とバックライトシャーシ４３とは、液晶パネル２の背面の周縁部と該周縁部に対向するバックライトシャーシ４３の覆部４３３の一面との接着により固定してあるので、簡易な構成で液晶パネル２を固定することができる。
【００２２】
バックライトシャーシ４３は、上側の側壁４３２の縁及び左右の側壁４３２の縁から内側に向かって突出された覆部４３３を有するため、バックライトシャーシ４３の強度を向上させることができる。
【００２３】
バックライトシャーシ４３には、導光板４１が収納され、覆部４３３は、導光板４１の上縁部及び左右の縁部を覆っているので、バックライトシャーシ４３と導光板４１との組合せにより、さらに強度を向上させることができる。
【００２４】
覆部４３３の後面と底板４３１の前面との対向部の離隔距離は、導光板４１及び光学シート群３の厚みよりも小さく、導光板４１及び延設部３１を有する光学シート３Ａの厚みよりも大きくしてある。従って、覆部４３３の後面と底板４３１の前面との対向部の離隔距離を小さくし、液晶表示装置１の幅を薄くすることができる。
【００２５】
導光板４１の前面に直接被着された光学シート３Ａの延設部３１は、導光板４１の上側端面（上縁部）よりも外側に位置している。従って、低気温時、導光板４１の温度が低下し収縮して導光板４１の上側端面が覆部４３３の先端よりも内側に位置した場合であっても、延設部３１によって導光板４１が液晶パネル２側に傾倒することを抑制することができる。
【００２６】
図４は、表示装置の製造方法の説明図である。実施形態１に係る表示装置の製造方法について、図４に基づき、以下に説明する。
【００２７】
まず、導光板４１を収納するためのバックライトシャーシ４３を用意する。次に、覆部４３３が設けられていない下方の端面側（下縁部側）から反射シート４２をバックライトシャーシ４３内に配置する（図４Ａ参照）。配置された反射シート４２の上端部は、覆部４３３と底板４３１との間に位置する。
【００２８】
次に、覆部４３３が設けられていない下方の端面側から導光板４１をバックライトシャーシ４３内に配置する（図４Ｂ参照）。配置された導光板４１の上端面は、覆部４３３と底板４３１との間に位置する。
【００２９】
次に、覆部４３３が設けられていない下方の端面側から光学シート３Ａをバックライトシャーシ４３内に配置する（図４Ｃ参照）。光学シート３Ａの上側端部（延設部３１）は、導光板４１の上側端面よりも外側に位置するように、光学シート３Ａの長さは設定してある。配置された光学シート３Ａの上側端部（延設部３１）は、覆部４３３と底板４３１との間に位置する。光学シート３Ａは、導光板４１の液晶パネル２側の面（前面）に接着して固定される。
【００３０】
次に、覆部４３３側から見て、バックライトシャーシ４３から露出している光学シート３Ａ上に、他の複数の光学シート３Ｂ，３Ｃを積層させ（図４Ｄ参照）、光学シート群３を構成する。これら積層された光学シート３Ａ，３Ｂ，３Ｃは、夫々の接触する面にて接着されている。
【００３１】
次に、背面のブラックマトリックス２１に対応した位置に両面テープ５の一面が貼付された液晶パネル２を用意する。次に、両面テープ５の他面を対応する覆部４３３の前面に位置合わせして接着し、液晶パネル２をバックライトシャーシ４３に接着して固定する（図４Ｅ参照）。
【００３２】
（実施形態２）
図５は、実施形態２に係る表示装置を略示する側面図である。実施形態２に係る表示装置は、導光板４１の前面に接触する光学シート３Ａの形状が異なる点で実施形態１の表示装置と異なる。
【００３３】
実施形態２の導光板４１の前面に接触する光学シート３Ａは、他の光学シート３Ｂ，３Ｃと同様にその上端が導光板４１の上側端面及び覆部４３３の先端よりも正面視にて内側に位置するように設けられている。
【００３４】
導光板４１の覆部４３３の後面と底板４３１の前面との対向部の離隔距離は、導光板４１の厚みよりも大きく、導光板４１及び光学シート群３の厚みよりも小さくしてある。光学シート群３の厚みは、覆部４３３の後面と液晶パネル２の背面との対向部の離隔距離の略９０％となるように、覆部４３３の厚み又は両面テープ５の厚みが設定してある。
【００３５】
光学シート群３の厚みが、覆部４３３の後面と液晶パネル２の背面との対向部の離隔距離の略９０％となるように設定することにより、低気温時等、導光板４１の温度が低下し収縮して、導光板４１の上側端面が覆部４３３の先端よりも内側に位置し、導光板４１が液晶パネル２側に傾倒した場合であっても、導光板４１の温度が上昇して伸長することによって、導光板４１が元の位置に復帰することができる。
【００３６】
本開示の実施形態に係る表示装置１は、正面に画像を表示する表示パネル２と、該表示パネル２の背面に一面を対向させて配してあり、前記一面からの出射光を前記表示パネル２の背面に照射させる導光板４１と、前記導光板４１を他面側から覆うように収納する皿形の収納容器４３とを備える表示装置１において、前記収納容器４３は、前記導光板４１の一面の縁部を前記表示パネル２側から覆う板状の覆部４３３を含み、前記表示パネル２と収納容器４３とは、該表示パネル２の背面の周縁部と該周縁部に対向する前記覆部４３３の一面との接着により、固定してある。
【００３７】
本実施形態においては、収納容器４３は、前記導光板４１の一面の縁部を前記表示パネル２側から覆う板状の覆部４３３を含み、表示パネル２と収納容器４３とは、該表示パネル２の背面の周縁部と該周縁部に対向する前記覆部４３３の一面との接着により固定してあるので、簡易な構成で表示パネル２を固定することができる。
【００３８】
本開示の実施形態に係る表示装置１は、前記導光板４１の一面には、積層された複数の光学シート３が設けられており、該複数の光学シート３のうち、前記導光板４１の一面に接触して設けられた光学シート３Ａの端部（延設部３１）は、該導光板４１の縁部よりも外側に延設してある。
【００３９】
本実施形態においては、導光板４１の一面に接触して設けられた光学シート３の端部は、該導光板４１の縁部よりも外側に延設してあるので、この光学シート３の端部によって、導光板４１が表示パネル２側に傾倒することを防止することができる。
【００４０】
本開示の実施形態に係る表示装置１は、前記導光板４１の一面には、積層された複数の光学シート３が設けられており、複数の光学シート３のうち、表示パネル２側に積層された光学シート３Ｂ，３Ｃの端部は、前記覆部４３３よりも正面視にて内側に位置してある。
【００４１】
本実施形態においては、複数の光学シート３のうち、表示パネル２側に積層された光学シート３Ｂ，３Ｃの端部は、覆部４３３よりも内側に位置してあるので、収納容器４３の底板４３１と覆部４３３との距離を短くし、表示装置１の幅を薄くすることができる。
【００４２】
本開示の実施形態に係る表示装置１は、前記覆部４３３は、前記導光板４１の上縁部及び左右の縁部を覆うように設けられている。
【００４３】
本実施形態においては、覆部４３３は、導光板４１の上縁部及び左右の縁部を覆うように設けられているので、収納容器４３の強度を向上させることができる。
【００４４】
本開示の実施形態に係るテレビジョン受信機は、本実施形態に記載の表示装置１と、テレビジョン放送を受信する受信部９とを備え、前記受信部で受信したテレビジョン放送に基づいて前記表示パネル２に画像を表示するようにしてある。
【００４５】
本実施形態においては、簡易な構成で表示パネル２を固定する表示装置１を備えてテレビジョン受信機を提供することができる。
【００４６】
本開示の実施形態に係る表示装置１の製造方法は、導光板４１を収納するための皿型の収納容器４３であって、該導光板４１の縁部を前記収納容器４３の底板４３１と反対側から覆う板状の覆部４３３を含む該収納容器４３を用意する工程と、該覆部４３３が設けられていない端面側から、反射シートを前記収納容器４３内に配置して、該収納容器４３に収納する工程と、該覆部４３３が設けられていない端面側から、前記導光板４１を前記収納容器４３内に配置して、該収納容器４３に収納する工程と、該覆部４３３が設けられていない端面側から、一の光学シート３Ａを前記収納容器４３内に配置して、該収納容器４３に収納する工程と、前記収納容器４３から露出している一の光学シート３Ａの一面に、他の複数の光学シート３Ｂ，３Ｃを積層する工程と、正面に画像を表示する表示パネル２を用意する工程と、該表示パネル２の背面の周縁部と前記覆部４３３の一面とを位置合わせし、該周縁部と覆部４３３との間に両面テープ５を介在させて、前記表示パネル２と前記収納容器４３とを接着して固定する工程とを含む。
【００４７】
本実施形態においては、簡易な構成で表示パネル２を固定する表示装置１を製造することができる。
【００４８】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００４９】
１  液晶表示装置（表示装置）
２  液晶パネル（表示パネル）
２１  ブラックマトリックス
３  光学シート群
３Ａ  光学シート
３Ｂ  光学シート
３Ｃ  光学シート
３１  延設部
４  バックライト
４１  導光板
４２  反射シート
４３  バックライトシャーシ（収納容器）
４３１  底板
４３２  側壁
４３３  覆部
５  両面テープ
６  カバー
７  脚
８  信号処理部
９  受信部
【図１】
2019148722.tif 000003
【図２】
2019148722.tif 000004
【図３】
2019148722.tif 000005
【図４】
2019148722.tif 000006
【図５】
2019148722.tif 000007